(57)【特許請求の範囲】
【請求項１】
回路に接続される固定接触子、及び前記固定接触子に接触して前記回路を通電する投入位置と前記固定接触子から分離されて前記回路の通電を遮断するトリップ位置とに移動する可動接触子を備える気中遮断器において、
前記可動接触子に接続され、前記可動接触子を投入位置とトリップ位置とに移動するように駆動する開閉機構と、
前記回路が異常通電状態であるか否かを判断するために予め設定された通電電流基準値と検出された回路の通電電流値とを比較して、異常通電状態であるか否かを判断し、異常通電状態である場合に電気的トリップ制御信号を出力する過電流トリップ継電器と、
前記過電流トリップ継電器からの電気的トリップ制御信号により、前記開閉機構がトリップ動作を行うように機械的トリガ信号を提供するアクチュエータと、
前記アクチュエータと前記開閉機構との間に接続され、前記アクチュエータからの機械的トリガ信号を前記開閉機構に伝達する第１リンク機構と、
トリップ動作が行われたことを前記気中遮断器の前面に機械的に表示する機械的トリップ表示機構と、
前記アクチュエータ及び前記機械的トリップ表示機構に接続され、前記アクチュエータからトリップ動作のための機械的トリガ信号が発生すると、これに応答して前記機械的トリップ表示機構がトリップ表示動作を行うように駆動するトリップ表示駆動力発生機構と、
を含むことを特徴とする気中遮断器。
【請求項２】
前記機械的トリップ表示機構は、
前記気中遮断器の前面に露出して前記気中遮断器が遮断状態であることを表示する表示部、及び前記表示部を露出させるための水平駆動力を受ける動力受け部を有するトリップ表示ロッドと、
前記気中遮断器の前面部の後方に固定され、前記トリップ表示ロッドの水平移動を案内する案内部材と、
前記トリップ表示ロッドに前記前面に露出する方向と反対方向に付勢力を加える第１復帰スプリングと、
を含むことを特徴とする請求項１に記載の気中遮断器。
【請求項３】
前記トリップ表示駆動力発生機構は、
垂直方向に移動する第２リンク機構と、
前記第２リンク機構に接続され、前記第２リンク機構を垂直方向に移動させる付勢力を提供するトリップ表示駆動スプリングと、
垂直方向に移動する前記第２リンク機構により回転可能に前記第２リンク機構に接続され、前記機械的トリップ表示機構に接触してトリップ表示のための駆動力を提供する回転レバーと、
を含むことを特徴とする請求項１に記載の気中遮断器。
【請求項４】
前記トリップ表示駆動力発生機構は、
前記アクチュエータの機械的トリガ信号の出力部に接続され、前記第２リンク機構に接触可能であり、前記アクチュエータから機械的トリガ信号の出力がある場合、前記第２リンク機構を解放して垂直移動を許容し、前記アクチュエータから機械的トリガ信号の出力がない場合、前記第２リンク機構の垂直移動を拘束する拘束機構をさらに含むことを特徴とする請求項３に記載の気中遮断器。
【請求項５】
前記拘束機構は、
前記アクチュエータの出力部に接触して回転駆動力を受ける回転駆動力受けレバー部、及び前記回転駆動力受けレバー部に接続され、前記回転駆動力受けレバー部の回転により、前記第２リンク機構の垂直移動を拘束する位置と前記第２リンク機構の垂直移動を許容する位置とに回動するフック部を有する第１回転レバーと、
前記フック部が前記拘束する位置に回動するように前記第１回転レバーに付勢力を加える拘束バイアススプリングと、
を含むことを特徴とする請求項４に記載の気中遮断器。
【請求項６】
回路に接続される固定接触子と、前記固定接触子に接触して前記回路を通電する投入位置と前記固定接触子から分離されて前記回路の通電を遮断するトリップ位置とに移動する可動接触子と、前記可動接触子を投入位置とトリップ位置とに移動するように駆動する開閉機構と、前記回路が異常通電状態であるか否かを判断するために予め設定された通電電流基準値と検出された回路の通電電流値とを比較して、異常通電状態であるか否かを判断し、異常通電状態である場合に前記開閉機構をトリップ駆動するように電気的トリップ駆動制御信号を出力する過電流トリップ継電器と、前記過電流トリップ継電器からの電気的トリップ駆動制御信号により機械的垂直駆動力を提供する出力リンクを有するアクチュエータと、前記アクチュエータの出力リンクと前記開閉機構との間に接続され、前記開閉機構がトリップ動作を行うように、前記開閉機構に前記出力リンクからの機械的垂直駆動力を伝達する第１リンク機構と、使用者がアクセスする操作部を提供するフロントメインカバーとを備える気中遮断器において、
垂直方向に移動する第２リンク機構と、
前記第１リンク機構に駆動接続され、前記垂直方向の移動を許容するか又は前記垂直方向の移動を拘束するように、前記第２リンク機構に接触する第１回転レバーと、
前記第２リンク機構の一端部に接続され、前記第２リンク機構を一方向に移動させる付勢力を提供するトリップ表示駆動スプリングと、
前記第２リンク機構の一端部に接触して回転駆動可能に設置される第２回転レバーと、
前記フロントメインカバーに支持されるように設置され、前記フロントメインカバーから露出して前記気中遮断器が遮断状態であることを表示する表示部、及び前記第２回転レバーに接触し、前記第２回転レバーにより前記表示部を露出させるための駆動力を受ける動力受け部を有する機械的トリップ表示機構と、
を含むことを特徴とする気中遮断器。
【請求項７】
前記機械的トリップ表示機構は、
前記フロントメインカバーから露出して前記気中遮断器が遮断状態であることを表示する表示部、及び前記第２回転レバーに接触し、前記第２回転レバーにより前記表示部を露出させるための水平駆動力を受ける動力受け部を有するトリップ表示ロッドと、
前記フロントメインカバーの背面に固定され、前記トリップ表示ロッドの移動を案内する案内部材と、
前記トリップ表示ロッドに前記フロントメインカバーから露出する方向と反対方向に付勢力を加える第１復帰スプリングと、
を含むことを特徴とする請求項６に記載の気中遮断器。
【請求項８】
前記第１回転レバーに接続され、前記第２リンク機構を拘束する方向に回転するように、前記第１回転レバーに付勢力を加える拘束バイアススプリングをさらに含むことを特徴とする請求項６に記載の気中遮断器。
【請求項９】
前記アクチュエータは、
前記アクチュエータの側壁上に固定され、前記第２リンク機構の垂直方向の移動距離を制限する少なくとも１つのストッパを備え、
前記第２リンク機構は、
前記ストッパにより垂直方向の移動が制限される長孔部と、
前記第２回転レバーに接触して前記第２回転レバーに回転駆動力を提供する動力伝達レバー部と、
を含むことを特徴とする請求項６に記載の気中遮断器。
【請求項１０】
前記アクチュエータの出力リンクからの機械的トリガ信号がない場合に前記第２回転レバーを元の位置に復帰させる第２復帰スプリングをさらに含むことを特徴とする請求項６に記載の気中遮断器。
【発明の詳細な説明】
【技術分野】
【０００１】
本発明は気中遮断器に関し、特に、過電流トリップ継電器（Over Current Trip Relay; OCRとも呼ばれる）が回路の異常電流を感知して気中遮断器がトリップ動作を行ったことを、使用者に機械的に正確に通知することのできる機械的トリップ表示機構を有する気中遮断器に関する。
【背景技術】
【０００２】
一般に、気中遮断器は、回路の異常電流を感知し、異常電流の発生時に気中遮断器がトリップ（自動回路遮断）動作を行うように制御信号を出力する過電流トリップ継電器を、制御手段として備える。さらに、気中遮断器は、可動接触子に接続され、回路を開閉するように前記可動接触子を駆動する開閉機構と、前記開閉機構に接続され、前記過電流トリップ継電器から制御信号を受信すると、前記開閉機構がトリップ動作を行うようにトリガするアクチュエータとを備える。ここで、前記アクチュエータとしては、例えばソレノイドアクチュエータを使用できる。
【０００３】
前記過電流トリップ継電器は、電子制御回路から構成されており、前記過電流トリップ継電器が制御信号を出力したことを記憶（保存）することもでき、これを表示器などにより表示することもできる。
【０００４】
しかし、このような過電流トリップ継電器のトリップ表示機能は、トリップ動作のための制御信号の出力のみを示すものであるので、例えばアクチュエータが制御信号を受信したが開閉機構のトリガに失敗した場合、前記トリップ表示は虚偽となる。このように、前記過電流トリップ継電器の電子的トリップ表示機能には信頼性が確保されていない。よって、本発明のような機械的トリップ表示機構を有する気中遮断器が要求される。
【０００５】
以下、図７〜図１２を参照して従来の気中遮断器の構成及び作用効果を説明する。
【０００６】
図７は従来の気中遮断器の全体的外観を示す斜視図である。
【０００７】
図７に示すように、従来の気中遮断器１は、前面に使用者の操作などのインタフェースのためのフロントメインカバー２が設けられ、フロントメインカバー２の一側に過電流トリップ継電器３が設けられ、これを覆う専用カバーであるサブカバー４もフロントメインカバー２に支持されて設けられる。フロントメインカバー２におけるサブカバー４に隣接する部分には、気中遮断器１を手動で開閉操作するための手動操作ボタン部が設けられ、前記手動操作ボタン部は、気中遮断器１の手動遮断操作のためのオフボタン６と、気中遮断器１の手動投入（通電）操作のためのオンボタン５とを含む。
【０００８】
図８は、従来の気中遮断器のフロントメインカバーを除去した状態を示すもので、トリップ動作のためのアクチュエータ、機械的トリガ信号の伝達のためのリンク機構、及び開閉機構の接続関係を示す斜視図である。以下、図８を参照して従来の気中遮断器の内部主要構成を説明する。
【０００９】
前記フロントメインカバーを除去した気中遮断器の内部には、アクチュエータ２０が、前記フロントメインカバーに隣接して前記過電流トリップ継電器の後方に設けられ、アクチュエータ２０の出力部に該当する出力リンク２１が、機械的トリガ信号を伝達できるようにアクチュエータ２０の側面開口から突出し、垂直方向に移動可能に設けられる。
【００１０】
アクチュエータ２０の側面には、垂直に下降する出力リンク２１に接触し、その垂直動力を第１リンク機構突出部２２を介して開閉機構３０のオフシャフト３６に伝達する第１リンク機構２３が設けられる。
【００１１】
開閉機構３０は、アクチュエータ２０に隣接して前記フロントメインカバーの後方に設けられ、第１リンク機構突出部２２がオフシャフト３６を押すと、それに応答して、前記可動接触子を固定接触子から分離して回路を遮断するようにトリップ駆動する駆動力を前記可動接触子に提供する。図８の符号１ａは、各相毎の可動接触子とそれに対応して設けられる固定接触子とを、相毎に電気的に絶縁されるように支持する絶縁モールド部である。
【００１２】
図９は従来の気中遮断器におけるアクチュエータ及び機械的トリガ信号の伝達のためのリンク機構の構成を示す斜視図である。
【００１３】
図９に示すように、アクチュエータ２０の出力リンク２１は、機械的トリガ信号を伝達するために、すなわち前記開閉機構がトリップ動作を行うようにトリガするために、アクチュエータ２０の側面開口から突出し、垂直方向に移動可能に設けられる。
【００１４】
第１リンク機構２３は、垂直方向に移動するが、特に機械的トリガ信号を伝達するときは、垂直に下降する出力リンク２１に接触及び加圧されて、垂直に下降する。これにより、前記開閉機構（図８の符号３０参照）のオフシャフト（図８の符号３６参照）が第１リンク機構２３により押されて回転する。
【００１５】
以下、図１０〜図１２を参照して、従来の気中遮断器における開閉機構と開閉機構に接続された可動接触子及びこれに対応する固定接触子の接点開閉動作を説明する。なお、本発明による気中遮断器は、開閉機構及び接触子に関するものではなく、機械的トリップ表示機構に関するものであるが、本発明による気中遮断器の構成と動作の理解のために、以下に気中遮断器の接点開閉動作を説明する。
【００１６】
図１０〜図１２は、従来の気中遮断器における開閉機構と開閉機構に接続された可動接触子及び固定接触子の動作状態図であって、図１０は、遮断（トリップ）状態であると同時に投入スプリングが蓄勢された状態を示す動作状態図であり、図１１は、投入（通電）状態であると同時に投入スプリングが放勢された状態を示す動作状態図であり、図１２は、遮断（トリップ）状態であると同時に投入スプリングが放勢された状態を示す動作状態図である。
【００１７】
まず、従来の気中遮断器において、手動遮断動作を行う場合、及び回路の異常通電を感知して自動的に回路を遮断（トリップ動作）する場合を説明する。
【００１８】
手動遮断動作の場合、図１１に示す投入状態で使用者がオフボタン６を押すと、オフプレート３９が図１１の左側に水平移動することによって、オフシャフト３６が加圧されて回転する。
【００１９】
一方、自動トリップ動作の場合、前記過電流トリップ継電器が回路の異常電流を感知して前記アクチュエータにトリップ制御信号を出力し、前記アクチュエータが前記トリップ制御信号に応答して動作することによって、前記アクチュエータの出力リンクと第１リンク機構が連動して垂直移動し、開閉機構３０のオフシャフト３６が前記第１リンク機構により押されて回転する。
【００２０】
手動遮断動作又は自動トリップ動作のいずれか一方の方法によりオフシャフト３６が回転することによって、開放ラッチ３７が回転してリンク機構３２に対する拘束が解除される。これにより、引っ張られて弾性エネルギーを蓄積していた遮断スプリング３８（図１１に示す投入状態）が弾性エネルギーを放出して元の状態（図１２に示す遮断状態）に復帰し、遮断スプリング３８の一端部に接続された駆動レバー５１を引っ張って反時計方向に回動させる。
【００２１】
これにより、主軸５０も反時計方向に回転し、一端部が駆動レバー５１に接続されて他端部が可動接触子５３に接続された接続リンク５２が図１１の右側に移動して可動接触子５３を右側に引っ張る。このようにして、図１２に示すように、可動接触子５３が上部ターミナル５４ａ（固定接触子に該当）から分離され、回路の通電を遮断する手動遮断動作又は自動トリップ動作が完了する。下部ターミナル５４ｂは、電気的導体からなる接続部材（図示せず）により、常に可動接触子５３と電気的及び機械的に接続されている。
【００２２】
次に、従来の気中遮断器において、遮断状態で投入動作を行う場合を説明する。
【００２３】
図１２に示す状態は、可動接触子５３が上部ターミナル５４ａから分離された遮断状態であり、かつ投入スプリング３１が蓄勢されていない状態であるので、可動接触子５３が上部ターミナル５４ａに接触する投入状態（回路通電状態）に駆動するためには、まず、可動接触子５３を駆動する駆動力を提供する投入スプリング３１を、図１０に示すように蓄勢しなければならない。投入スプリング３１の蓄勢方法としては、図７に示すフロントメインカバー２に設けられたスプリング蓄勢ハンドル（符号なし）を折り畳まれた状態から広げて図１０〜図１２に示すカム軸（符号なし）を手動操作して蓄勢する方法や、電動機（図示せず）を駆動して前記カム軸を電動操作して蓄勢する方法などがある。
【００２４】
このように、投入スプリング３１が蓄勢されて図１０に示すようになった状態で、使用者がオンボタン５を押すと、オンカップリング３５が図１０の時計方向に回転し、投入ラッチ３３を拘束して投入スプリング３１の蓄勢状態を維持していたオンシャフト３４を押して反時計方向に回転させることにより、投入ラッチ３３を解放する。すると、蓄積された弾性エネルギーを放出する投入スプリング３１によりリンク機構３２が反時計方向に回転し、リンク機構３２に接続された駆動レバー５１を時計方向に回転させる。このようにして、接続リンク５２が図１０の左側に移動し、接続リンク５２に接続された可動接触子５３が上部ターミナル５４ａ（固定接触子に該当）に接触して回路の通電（投入）状態となり、投入動作が完了する。
【００２５】
前述のように構成されて動作する従来の気中遮断器の過電流トリップ継電器は、電子制御回路から構成されており、前記過電流トリップ継電器が制御信号を出力したことを記憶（保存）することもでき、これを表示器などにより表示することもできる。
【発明の開示】
【発明が解決しようとする課題】
【００２６】
しかし、このような過電流トリップ継電器のトリップ表示機能は、トリップ動作のための制御信号の出力のみを示すものであるので、例えばアクチュエータが制御信号を受信したが動作自体に失敗した場合、開閉機構への機械的トリガ信号の伝達に失敗してトリップが行われず、前記トリップ表示は虚偽となる。従って、従来の過電流トリップ継電器の電子的トリップ表示機能には信頼性が確保されていないという問題があった。
【００２７】
本発明は、このような従来技術の問題を解決するためになされたもので、アクチュエータの動作を機械的に伝達して表示することにより、気中遮断器がトリップ動作を行ったことを使用者に機械的に正確に通知することのできる機械的トリップ表示機構を有する気中遮断器を提供することを目的とする。
【課題を解決するための手段】
【００２８】
上記の目的を達成するために、本発明は、回路に接続される固定接触子、及び前記固定接触子に接触して前記回路を通電する投入位置と前記固定接触子から分離されて前記回路の通電を遮断するトリップ位置とに移動する可動接触子を備える気中遮断器において、前記可動接触子に駆動接続され、前記可動接触子を投入位置とトリップ位置とに移動するように駆動する開閉機構と、前記回路が異常通電状態であるか否かを判断するための通電電流基準値を設定し、その設定された通電電流基準値と検出された回路の通電電流値とを比較して、異常通電状態であるか否かを判断し、異常通電状態である場合に電気的トリップ制御信号を出力する過電流トリップ継電器と、前記過電流トリップ継電器からの電気的トリップ制御信号により、前記開閉機構がトリップ動作を行うように機械的トリガ信号を提供するアクチュエータと、前記アクチュエータと前記開閉機構との間に接続され、前記アクチュエータからの機械的トリガ信号を前記開閉機構に伝達する第１リンク機構と、トリップ動作が行われたことを前記気中遮断器の前面に機械的に表示する機械的トリップ表示機構と、前記アクチュエータ及び前記機械的トリップ表示機構に接続され、前記アクチュエータからトリップ動作のための機械的トリガ信号が発生すると、これに応答して前記機械的トリップ表示機構がトリップ表示動作を行うように駆動するトリップ表示駆動力発生機構とを含むことを特徴とする気中遮断器を提供する。
【発明の効果】
【００２９】
本発明による機械的トリップ表示機構を有する気中遮断器においては、アクチュエータから機械的トリガ信号があるときにのみ、すなわちアクチュエータの出力リンクが下降するときにのみ、これに連動してトリップ発生を機械的に表示するので、アクチュエータの誤動作によるトリップ表示の誤動作を防止することができ、気中遮断器の信頼性及び電気的事故から使用者を保護する安全性が向上する。
【００３０】
本発明による機械的トリップ表示機構を有する気中遮断器は、アクチュエータの動作を機械的に伝達して表示することにより、気中遮断器がトリップ動作を行ったことを使用者に機械的に正確かつ高い信頼性で通知することができ、これにより、電気的事故から使用者を保護する安全性がさらに向上するという効果がある。
【発明を実施するための最良の形態】
【００３１】
前述した本発明の目的とこれを達成する本発明の構成、作用、及び効果は、添付の図面を参照して本発明の好ましい実施形態を説明することによって明確に理解できるであろう。
【００３２】
本発明による気中遮断器は、回路に接続される固定接触子、及び前記固定接触子に接触して前記回路を通電する投入位置と前記固定接触子から分離されて前記回路の通電を遮断するトリップ位置とに移動する可動接触子を備える気中遮断器であり、このような構成は気中遮断器の基本的な構成であって公知であり、図１０〜図１２を参照して前述した従来技術の構成と同様である。
【００３３】
図１は、本発明による気中遮断器のフロントメインカバーを除去した状態を示すもので、トリップ動作のためのアクチュエータ、機械的トリガ信号の伝達のためのリンク機構、及び開閉機構の接続関係を示す斜視図である。
【００３４】
図１に示すように、本発明による気中遮断器は、前記可動接触子に駆動接続され、前記可動接触子を投入位置とトリップ位置とに移動するように駆動する開閉機構３０を含む。ここで、開閉機構３０は、図１０〜図１２を参照して前述した従来の開閉機構と構成及び作用が同様であるので、重複説明を省略する。
【００３５】
本発明による気中遮断器は、前記回路が異常通電状態であるか否かを判断するための通電電流基準値を設定し、その設定された通電電流基準値と検出された回路の通電電流値とを比較して、異常通電状態であるか否かを判断し、異常通電状態である場合に前記開閉機構がトリップ駆動するようにトリップ駆動制御信号を出力する過電流トリップ継電器（図６の符号３参照）をさらに含む。
【００３６】
前記過電流トリップ継電器は、異常通電状態であるか否かを判断するための通電電流基準値、例えば定格電流に比べてそれほど大きくなくて一時的に通電を許容できる電流値、許容される動作時間、瞬間的に遮断すべき電流値、短絡電流値などの設定のための設定ノブと、このような設定基準値と検出された回路の通電電流値とを比較してトリップ動作を行うか否かを決定し、トリップ動作を行うことを決定した場合にトリップ動作を指示する制御信号を出力するマイクロプロセッサなどの電子回路部とを含む電子制御部分である。このような過電流トリップ継電器の機能と構成は、本発明と直接関係のない公知の技術であるので、詳細な説明は省略する。
【００３７】
本発明による気中遮断器は、図１に示すように、前記過電流トリップ継電器からのトリップ駆動制御信号により開閉機構３０がトリップ動作を行うように、機械的トリガ信号を提供するアクチュエータ２０をさらに含む。
【００３８】
アクチュエータ２０は、例えばソレノイドアクチュエータのように、電磁気コイルの吸引力により直線移動する可動部を有するアクチュエータから構成することができ、前述した従来技術のアクチュエータと同様の公知の技術であり、本発明の特徴的構成ではないので、詳細な説明は省略する。
【００３９】
アクチュエータ２０の出力部に該当する出力リンク２１は、機械的トリガ信号を伝達するために、アクチュエータ２０の側面開口から突出し、垂直方向に移動可能に設けられる。
【００４０】
本発明による気中遮断器は、図１に示すように、アクチュエータ２０と開閉機構３０との間に接続され、アクチュエータ２０からの機械的トリガ信号を開閉機構３０に伝達する第１リンク機構２３をさらに含む。ここで、第１リンク機構２３は、前述した従来の第１リンク機構２３と同様の構成及び機能を有するものであり、アクチュエータ２０の側面に設けられ、垂直に下降する出力リンク２１に接触し、その垂直動力を第１リンク機構突出部２２を介して開閉機構３０のオフシャフト３６に伝達する機能を果たす。
【００４１】
開閉機構３０は、アクチュエータ２０に隣接して設けられ、第１リンク機構突出部２２がオフシャフト３６を押すと、それに応答して、前記可動接触子を前記固定接触子から分離して回路を遮断するようにトリップ駆動する駆動力を前記可動接触子に提供する。ここで、開閉機構３０は、図８及び図１０〜図１２を参照して前述した従来の開閉機構と同一又は類似の構成及び作用を有するので、詳細な説明は省略する。
【００４２】
本発明による気中遮断器は、その特徴的構成として、図１に示すように、トリップ動作が行われたことを前記気中遮断器の前面に機械的に表示する機械的トリップ表示機構（図１では符号なし、図３及び図４では符号６０参照）をさらに含む。
【００４３】
また、本発明による気中遮断器は、その特徴的構成として、図１に示すように、アクチュエータ２０及び機械的トリップ表示機構に接続され、アクチュエータ２０からトリップ駆動のための機械的駆動力が発生すると、これに応答して前記機械的トリップ表示機構がトリップ表示動作を行うように駆動するトリップ表示駆動力発生機構（４３、４４、４６）をさらに含む。
【００４４】
以下、図２を参照して、本発明による気中遮断器におけるアクチュエータの出力部、機械的トリガ信号の伝達のためのリンク機構、及びトリップ表示駆動力発生機構の構成を説明する。
【００４５】
図２に示すように、前記トリップ表示駆動力発生機構は、垂直方向に移動する第２リンク機構４３と、一端部が第２リンク機構４３に接続されて他端部がアクチュエータ２０の側壁２０ａに支持され、第２リンク機構４３を垂直方向に移動させる付勢力を提供するトリップ表示駆動スプリング４４と、第２リンク機構４３に駆動接続されて第２リンク機構４３の垂直方向の移動により回転し、前記機械的トリップ表示機構（図１参照）に接触してトリップ表示のための駆動力を提供する第２回転レバー４６とを含む。
【００４６】
第２回転レバー４６は、アクチュエータ２０の側壁２０ａ上に回転可能に設置される回転レバーであって、前記機械的トリップ表示機構に動力を伝達する第２回転レバー動力伝達部４６ａと、第２リンク機構４３から回転動力を受ける第２回転レバー動力受け部４６ｂとを有する。
【００４７】
本発明による気中遮断器は、その特徴的構成として、図２に示すように、アクチュエータ２０の出力リンク２１からの機械的トリガ信号がない場合に第２回転レバー４６を元の位置に復帰させる第２復帰スプリング４７をさらに含む。
【００４８】
前記トリップ表示駆動力発生機構は、図２に示すように、アクチュエータ２０の機械的トリガ信号の出力部である出力リンク２１に接続され、第２リンク機構４３に接触可能であり、アクチュエータ２０から機械的トリガ信号の出力がある場合、第２リンク機構４３を解放して垂直移動を許容し、アクチュエータ２０から機械的トリガ信号の出力がない場合、第２リンク機構４３の垂直移動を拘束する拘束機構４１、４２をさらに含む。
【００４９】
拘束機構４１、４２は、アクチュエータ２０の出力リンク２１に接触して回転駆動力を受ける回転駆動力受けレバー部４１ａ、及び回転駆動力受けレバー部４１ａに接続され、回転駆動力受けレバー部４１ａの回転により、第２リンク機構４３の垂直移動を拘束する位置と第２リンク機構４３の垂直移動を許容する位置とに回動するフック部４１ｂを有する第１回転レバー４１を含む。また、拘束機構４１、４２は、フック部４１ｂが前記拘束する位置に回動するように第１回転レバー４１に付勢力を加える拘束バイアススプリング４２をさらに含む。拘束バイアススプリング４２は、トーションスプリングから構成されることが好ましい。
【００５０】
図２に示すように、アクチュエータ２０は、アクチュエータ２０の側壁２０ａ上に固定されるか又は突出するように一体に形成され、第２リンク機構４３の垂直方向の移動距離を制限する第１及び第２ストッパ４３ｃ１、４３ｃ２を備える。
【００５１】
図２に示すように、第２リンク機構４３は、第１及び第２ストッパ４３ｃ１、４３ｃ２により垂直方向の移動が制限される第１及び第２長孔部４３ｂ１、４３ｂ２と、第２回転レバー４６に接触して第２回転レバー４６に回転駆動力を提供する動力伝達レバー部４３ａとを含む。第２リンク機構４３は、右側の側壁のフック部４１ｂに対向する位置にフック挿入溝部（図示せず）を備え、前記フック挿入溝部は、第１回転レバー４１のフック部４１ｂが第２リンク機構４３の垂直移動を拘束するために挿入されること、及び拘束を解除するために離脱することを許容する。
【００５２】
図２において、符号４３ｅは、トリップ表示駆動スプリング４４の上端部を支持するスプリング上端支持部であり、符号４５は、アクチュエータ２０の側壁２０ａ上に突出して設けられるスプリング下端支持部である。
【００５３】
以下、図３〜図５を参照して本発明による気中遮断器の機械的トリップ表示機構を説明する。
【００５４】
図３は本発明による気中遮断器の機械的トリップ表示機構の構成を示す斜視図であり、図４は図３の機械的トリップ表示機構の分解斜視図であり、図５は本発明による気中遮断器のフロントメインカバーの背面斜視図であり、機械的トリップ表示機構が設置された状態を示す。
【００５５】
図３及び図４に示すように、本発明による気中遮断器の機械的トリップ表示機構６０は、前記気中遮断器の前面に露出して前記気中遮断器が遮断状態であることを表示する表示部６１ｂとしての一端部、及び前記一端部を露出させるための水平駆動力を受ける動力受け部６１ａとしての他端部を有するトリップ表示ロッド６１を含む。また、機械的トリップ表示機構６０は、前記気中遮断器の前面部の後方に固定され、トリップ表示ロッド６１の水平移動を案内する案内部材６２をさらに含む。また、機械的トリップ表示機構６０は、トリップ表示ロッド６１に前記前面に露出する方向と反対方向に付勢力を加える第１復帰スプリング６５をさらに含む。また、機械的トリップ表示機構６０は、第１復帰スプリング６５の離脱を防止するスプリング離脱防止部６１ｃと、前記気中遮断器の前面部、すなわち図５に示すフロントメインカバー２の背面に案内部材６２を固定設置するための案内部材固定ネジ６４と、案内部材固定ネジ６４が緩むことを防止する座金６３とをさらに含む。
【００５６】
案内部材６２は、両側にネジ挿入口が設けられ、中央にトリップ表示ロッド６１及び第１復帰スプリング６５を収容するシリンダ形部が設けられている。
【００５７】
図４において、第１復帰スプリング６５の後方を支持する後方支持用スプリングシート部６１ｄは、トリップ表示ロッド６１が前記気中遮断器の前面に露出する方向に移動するとき、第１復帰スプリング６５が圧縮されるように加圧するスプリング加圧部の機能を実行する。また、後方支持用スプリングシート部６１ｄは、トリップ表示ロッド６１の動力受け部６１ａを介して伝達されていた水平駆動力がなくなると、第１復帰スプリング６５がトリップ表示ロッド６１を前記気中遮断器の前面に露出しないように復帰させる復帰力をトリップ表示ロッド６１に作用させる復帰力作用部としての機能を実行する。
【００５８】
ここで、第１復帰スプリング６５の設置は、第１復帰スプリング６５の内部にトリップ表示ロッド６１の表示部６１ｂを通過させて、第１復帰スプリング６５をスプリング離脱防止部６１ｃと後方支持用スプリングシート部６１ｄとの間に位置させた後、案内部材６２の中央のシリンダ形部の内部に挿入して行う。
【００５９】
以下、図１〜図６を参照して、前述のように構成される本発明による気中遮断器の機械的トリップ表示動作を説明する。
【００６０】
図６に示す過電流トリップ継電器３が、回路の異常通電を感知し、トリップ動作のための電気的制御信号を発生してアクチュエータ２０に伝達すると、アクチュエータ２０は、過電流トリップ継電器３からの電気的制御信号に応答して、出力部である出力リンク２１が下降して機械的トリガ信号を発生する。
【００６１】
すると、アクチュエータ２０の機械的トリガ信号である出力リンク２１の下降により、これに接続された第１リンク機構２３が共に下降し、第１リンク機構突出部２２が開閉機構３０のオフシャフト３６を加圧して回動させ、これにより、図１０〜図１２を参照して前述した従来のトリップ動作と同様に、トリップ（自動回路通電遮断）が行われる。
【００６２】
これと同時に、出力リンク２１は、拘束バイアススプリング４２の付勢力を克服し、第１回転レバー４１の回転駆動力受けレバー部４１ａを図２の反時計方向に回動させる。
【００６３】
これにより、回転駆動力受けレバー部４１ａに接続されたフック部４１ｂが、回転駆動力受けレバー部４１ａの反時計方向の回転により、第２リンク機構４３の垂直移動を許容する位置（第２リンク機構４３を解放する位置）に回動する。
【００６４】
従って、第２リンク機構４３は、下端に接続されたトリップ表示駆動スプリング４４の付勢力により下方に引っ張られて下降するが、このとき、第２リンク機構４３は、垂直に形成された第１及び第２長孔部４３ｂ１、４３ｂ２に第１及び第２ストッパ４３ｃ１、４３ｃ２が案内されて、垂直方向に直線的に移動する。
【００６５】
第２リンク機構４３の下降により、第２リンク機構４３の上端に備えられた動力伝達レバー部４３ａが第２回転レバー４６を回転させる。すなわち、動力伝達レバー部４３ａが、第２回転レバー４６の第２回転レバー動力受け部４６ｂに回転動力を伝達し、第２回転レバー４６が、第２復帰スプリング４７の弾性復帰力を克服して図２の反時計方向に回転する。
【００６６】
従って、第２回転レバー４６の第２回転レバー動力伝達部４６ａが反時計方向に回転し、第２回転レバー動力伝達部４６ａが第２回転レバー動力伝達部４６ａの前方に位置するトリップ表示ロッド６１の動力受け部６１ａを加圧する。これにより、トリップ表示ロッド６１は、気中遮断器１の前面、すなわち図６に示すフロントメインカバー２の外部に露出又は突出するように水平移動する。
【００６７】
このようにして、使用者は、気中遮断器１のフロントメインカバー２の外部に露出又は突出したトリップ表示ロッド６１の表示部６１ｂを見て、気中遮断器１がトリップ動作を行ったことを認知する。
【００６８】
一方、アクチュエータ２０からの機械的トリガ信号がないと、すなわち出力リンク２１が上昇すると、第１リンク機構２３が共に上昇し、これにより、出力リンク２１から第１回転レバー４１の回転駆動力受けレバー部４１ａに作用していた回転駆動力がなくなる。すると、拘束バイアススプリング４２の付勢力により、第１回転レバー４１のフック部４１ｂが、第２リンク機構４３の側壁に備えられた前記フック挿入溝部（図示せず）に挿入され、第２リンク機構４３を再び拘束し、これにより、第２回転レバー４６の第２回転レバー動力受け部４６ｂに作用していた回転動力がなくなり、第２復帰スプリング４７の復帰力が第２回転レバー４６に作用する。
【００６９】
従って、第２回転レバー４６の第２回転レバー動力伝達部４６ａが、トリップ表示ロッド６１の動力受け部６１ａから分離される位置に後退する。これにより、トリップ表示ロッド６１を気中遮断器１の前面に露出する方向に加圧していた圧力がなくなり、第１復帰スプリング６５の弾性力により、トリップ表示ロッド６１は、気中遮断器１の前面、すなわち図６に示すフロントメインカバー２の前面から露出又は突出しないように後退する。
【００７０】
このようにして、使用者は、トリップ表示ロッド６１の表示部６１ｂがフロントメインカバー２の前面から露出又は突出していないことから、トリップ動作が行われていないことを認知する。
【００７１】
なお、図６において、符号４はサブカバーで、符号５はオンボタンで、符号６はオフボタンである。
【図面の簡単な説明】
【００７２】
【図１】本発明による気中遮断器のフロントメインカバーを除去した状態を示すもので、トリップ動作のためのアクチュエータ、機械的トリガ信号の伝達のためのリンク機構、及び開閉機構の接続関係を示す斜視図である。
【図２】本発明による気中遮断器におけるアクチュエータの出力部、機械的トリガ信号の伝達のためのリンク機構、及びトリップ表示駆動力発生機構の構成を示す斜視図である。
【図３】本発明による気中遮断器の機械的トリップ表示機構の構成を示す斜視図である。
【図４】図３の機械的トリップ表示機構の分解斜視図である。
【図５】本発明による気中遮断器のフロントメインカバーの背面斜視図であり、機械的トリップ表示機構が設置された状態を示す。
【図６】本発明による気中遮断器の全体的外観を示す斜視図であり、機械的トリップ表示機構が、トリップ動作が行われたことを気中遮断器の前面に機械的に表示している状態を示す。
【図７】従来の気中遮断器の全体的外観を示す斜視図である。
【図８】従来の気中遮断器のフロントメインカバーを除去した状態を示すもので、トリップ動作のためのアクチュエータ、機械的トリガ信号の伝達のためのリンク機構、及び開閉機構の接続関係を示す斜視図である。
【図９】従来の気中遮断器におけるアクチュエータ及び機械的トリガ信号の伝達のためのリンク機構の構成を示す斜視図である。
【図１０】従来の気中遮断器における開閉機構と開閉機構に接続された可動接触子及び固定接触子を示すもので、遮断（トリップ）状態であると同時に投入スプリングが蓄勢された状態を示す動作状態図である。
【図１１】従来の気中遮断器における開閉機構と開閉機構に接続された可動接触子及び固定接触子を示すもので、投入（通電）状態であると同時に投入スプリングが放勢された状態を示す動作状態図である。
【図１２】従来の気中遮断器における開閉機構と開閉機構に接続された可動接触子及び固定接触子を示すもので、遮断（トリップ）状態であると同時に投入スプリングが放勢された状態を示す動作状態図である。
【符号の説明】
【００７３】
１ａ    絶縁モールド部
２０    アクチュエータ
２１    出力リンク
２２    第１リンク機構突出部
２３    第１リンク機構
３０    開閉機構
３６    オフシャフト
４１    拘束機構
４３    第２リンク機構
４４    トリップ表示駆動スプリング
４５    スプリング下端支持部
４６    第２回転レバー
４６ａ    第２回転レバー動力伝達部
６１    表示ロッド
６１ａ    動力受け部
６１ｂ    表示部
【図１】
0004559508.tif 000002
【図２】
0004559508.tif 000003
【図３】
0004559508.tif 000004
【図４】
0004559508.tif 000005
【図５】
0004559508.tif 000006
【図６】
0004559508.tif 000007
【図７】
0004559508.tif 000008
【図８】
0004559508.tif 000009
【図９】
0004559508.tif 000010
【図１０】
0004559508.tif 000011
【図１１】
0004559508.tif 000012
【図１２】
0004559508.tif 000013